(57)【特許請求の範囲】
【請求項１】
多重搬送波システムに基づくスキャンレポート送信方法であって、
端末がサービング基地局にスキャン要請シグナリングを送信することと、前記サービング基地局が第２の配置パラメータ及び推薦された搬送波数と推薦された搬送波ＩＤを含む第１の配置パラメータを携帯するスキャン応答メッセージを前記端末に送信することとを含み、端末が、サービング基地局中の搬送波及び／又は前記サービング基地局と隣り合う基地局の搬送波の中の一つ又は複数の搬送波である基地局指示搬送波の前記第１の配置パラメータ及び前記端末によりスキャンレポートを送信するのに必要な前記第２の配置パラメータを取得するステップと、
前記端末が前記第１の配置パラメータに基づいて前記基地局指示搬送波にスキャンを行って、スキャンされた搬送波量、スキャンされた搬送波のマーク、搬送波対干渉・雑音比ＣＩＮＲ、受信信号強度指示ＲＳＳＩの中の少なくとも一つを含む端末によりスキャンされた搬送波情報を含むスキャンレポートを作成し、前記第２の配置パラメータに基づいて前記スキャンレポートを前記サービング基地局に送信するステップを含むことを特徴とする方法。
【請求項２】
前記基地局指示搬送波が全配置搬送波であることを特徴とする請求項１に記載の方法。
【請求項３】
前記端末が前記第１の配置パラメータ及び前記第２の配置パラメータを取得する前、
前記サービング基地局が前記端末によりスキャンすべき前記基地局指示搬送波を確定するステップと、
前記サービング基地局が前記基地局指示搬送波の前記第１の配置パラメータを設定するステップと、
前記サービング基地局が前記端末によりスキャンレポートを送信するのに必要な前記第２の配置パラメータを設定するステップと、
前記サービング基地局が前記第１の配置パラメータと前記第２の配置パラメータを前記端末に送信するステップをさらに含むことを特徴とする請求項１に記載の方法。
【請求項４】
前記第１の配置パラメータが、基地局指示搬送波のマーク、基地局指示搬送波の周波数、基地局指示搬送波の帯域幅の中の少なくとも一つを含むことを特徴とする請求項１乃至３の中のいずれかに記載の方法。
【請求項５】
前記第２の配置パラメータが、スキャンレポートを送信するか否かのマーク、スキャンレポートの送信方式の中の少なくとも一つを含むことを特徴とする請求項１乃至３の中のいずれかに記載の方法。
【請求項６】
前記端末によりスキャンされた搬送波の情報は、スキャンされた搬送波の周波数、スキャンされた搬送波の帯域幅の中の少なくとも一つを含むことを特徴とする請求項１に記載の方法。
【請求項７】
サービング基地局にスキャン要請シグナリングを送信し、前記サービング基地局から送信され、前記サービング基地局における搬送波及び／又は前記サービング基地局と隣り合う基地局の搬送波の中の一つ又は複数である基地局指示搬送波の推薦された搬送波数と推薦された搬送波ＩＤを含む第１の配置パラメータ及び端末によりスキャンレポートを送信するのに必要な第２の配置パラメータを携帯したスキャン応答メッセージを受信する取得ブロックと、
前記第１の配置パラメータに基づいて前記基地局指示搬送波にスキャンを行って、スキャンされた搬送波量、スキャンされた搬送波のマーク、搬送波対干渉・雑音比ＣＩＮＲ、受信信号強度指示ＲＳＳＩの中の少なくとも一つを含む端末によりスキャンされた搬送波情報を含むスキャンレポートを作成するスキャンブロックと、
前記第２の配置パラメータに基づいて前記スキャンレポートを前記サービング基地局に送信する送信ブロックと、を含むことを特徴とする端末。
【請求項８】
前記第１の配置パラメータが、基地局指示搬送波のマーク、基地局指示搬送波の周波数、基地局指示搬送波の帯域幅の中の少なくとも一つを含むことを特徴とする請求項７に記載の端末。
【請求項９】
前記第２の配置パラメータが、スキャンレポートを送信するか否かのマーク、スキャンレポートの送信方式の中の少なくとも一つを含むことを特徴とする請求項７に記載の端末。
【請求項１０】
前記端末によりスキャンされた搬送波の情報は、スキャンされた搬送波の周波数、スキャンされた搬送波の帯域幅の中の少なくとも一つを含むことを特徴とする請求項７に記載の端末。
【発明の詳細な説明】
【技術分野】
【０００１】
本発明は、通信分野に関し、具体的に、多重搬送波システムに基づくスキャンレポート送信方法及びその装置に関する。
【背景技術】
【０００２】
通信分野において、高速度の要求を満たすため、システムに多重搬送波の概念を導入している。
【０００３】
基地局に複数の搬送波が配置されることができ、このような搬送波は、全配置搬送波と一部配置搬送波とに分けられる。その中、全配置搬送波には全ての必要な同期チャネル、制御チャネルなどのシステム側の情報が含まれ、一部配置搬送波にはデータ伝送チャネルのみが含まれるか又は一部の必要な制御メッセージのみが含まれ、全配置搬送波に比べ、一部配置搬送波は同期チャネルを含まなくてもよい。
【０００４】
端末側において、搬送波はメイン搬送波とサブ搬送波に分けられる。
【０００５】
その中、メイン搬送波は、全配置搬送波でなければならなく、主に基地局と端末との間の制御メッセージ及び／又はデータ交換に用いられ、サービスの処理及び物理（Ｐｈｙｓｉｃｓ、以下ＰＨＹと略称）制御情報又は媒体アクセス制御（Ｍｅｄｉａ  Ａｃｃｅｓｓ  Ｃｏｎｔｒｏｌ、以下ＭＡＣと略称）情報の交換に用いられることもある。そのほか、メイン搬送波は一部の端末の制御機能、例えば、ネットワークへのアクセスを完成することができる。ここで、各端末は１セルにおいて一つのメイン搬送波のみを含む。
【０００６】
サブ搬送波は、全配置搬送波であってもよく、一部配置搬送波であってもよいが、端末にサービスを伝送する別当の搬送波であり、主にデータ交換に用いられる。そして、サブ搬送波は、多重搬送波動作を支援する制御シグナリングを含むこともできる。一つの端末は一つ又は複数のサブ搬送波を含んでもよく、サブ搬送波を含まなくてもよい。
【０００７】
移動通信システムにおいて、端末が基地局の縁部に移動した場合、元のサービング基地局の信号条件が低下し且つ端末にサービスを提供し続けることができなければ、端末は他の基地局にハンドオーバしてサービスの連続性を保持する必要があるが、このようなハンドオーバは基地局間のハンドオーバである。
【０００８】
多重搬送波システムにおいて、一つの基地局が複数の搬送波を提供するので、端末に利用されている搬送波（サービング搬送波）の負荷が大きすぎてサービス品質（Ｑｕａｌｉｔｙ  ｏｆ  Ｓｅｒｖｉｃｅ、以下ＱｏＳと略称）が低下し、又はサービング搬送波の信号強度が低下し、端末が信号強度がより強い搬送波を検索する必要がある場合、端末は基地局内において、他の搬送波にハンドオーバしてデータ伝送を行うことが可能であり、このようなハンドオーバは基地局内でのハンドオーバである。
【０００９】
単一搬送波システムにおいて、基地局は一つの搬送波のみを含むので、基地局は放送情報を介してその搬送波の情報を放送するが、多重搬送波システムにおいては、一つの基地局に複数の搬送波が配置され、複数の搬送波が異なる周波数に載せられるので、端末が基地局内又は基地局間でのハンドオーバを行う場合、各搬送波の周波数、帯域幅等の情報に基づいて複数の搬送波にスキャンを行う必要がある。しかし、スキャンの後、端末が多重搬送波のスキャンレポートを基地局に送信する方案が未だに開示されていない。
【発明の概要】
【発明が解決しようとする課題】
【００１０】
本発明は、多重搬送波システムにおいて端末が多重搬送波のスキャンレポートを基地局に送信する方案が未だに開示されていない課題に鑑み、該問題を解決できる改善された多重搬送波システムに基づくスキャンレポート送信方法を提供することを目的とする。
【課題を解決するための手段】
【００１１】
上記の目的を実現するため、本発明の一方面によると、多重搬送波システムに基づくスキャンレポート送信方法を提供する。
【００１２】
本発明に係わる多重搬送波システムに基づくスキャンレポート送信方法は、端末が基地局指示搬送波の第１の配置パラメータ及び端末によりスキャンレポートを送信するのに必要な第２の配置パラメータを取得するステップと、端末が第１の配置パラメータに基づいて基地局指示搬送波にスキャンを行ってスキャンレポートを作成し、第２の配置パラメータに基づいてスキャンレポートを基地局に送信するステップを含み、上記の基地局指示搬送波は基地局における搬送波及び／又は隣り合う基地局の搬送波の中の一つ又は複数の搬送波である。
【００１３】
基地局指示搬送波が全配置搬送波であることが好ましい。
【００１４】
そして、上記方法は、端末が第１の配置パラメータ及び第２の配置パラメータを取得する前、基地局が端末によりスキャンすべき基地局指示搬送波を確定するステップと、基地局が基地局指示搬送波の第１の配置パラメータを設定するステップと、基地局が端末によりスキャンレポートを送信するに必要な第２の配置パラメータを設定するステップと、基地局が第１の配置パラメータと第２の配置パラメータを端末に送信するステップをさらに含む。
【００１５】
第１の配置パラメータが、基地局指示搬送波のマーク、基地局指示搬送波の周波数、基地局指示搬送波の帯域幅の中の少なくとも一つを含むことが好ましい。
【００１６】
第２の配置パラメータが、スキャンレポートを送信するか否かのマーク、スキャンレポートの送信方式の中の少なくとも一つを含むことが好ましい。
【００１７】
スキャンレポートは、端末によりスキャンされた搬送波の情報を含み、その情報は、スキャンされた搬送波量、スキャンされた搬送波のマーク、スキャンされた搬送波の周波数、スキャンされた搬送波の帯域幅の中の少なくとも一つを含むことが好ましい。
【００１８】
上記の目的を実現するため、本発明の他の一方面によると、端末を提供する。
【００１９】
本発明に係わる端末は、基地局における搬送波及び／又は隣り合う基地局の搬送波の中の一つ又は複数である基地局指示搬送波の第１の配置パラメータ及び端末によりスキャンレポートを送信するに必要な第２の配置パラメータを取得する取得ブロックと、第１の配置パラメータに基づいて基地局指示搬送波にスキャンを行ってスキャンレポートを作成するスキャンブロックと、第２の配置パラメータに基づいてスキャンレポートを基地局に送信する送信ブロックと、を含む。
【００２０】
第１の配置パラメータが、基地局指示搬送波のマーク、基地局指示搬送波の周波数、基地局指示搬送波の帯域幅の中の少なくとも一つを含むことが好ましい。
【００２１】
第２の配置パラメータが、スキャンレポートを送信するか否かマーク、スキャンレポートの送信方式の中の少なくとも一つを含むことが好ましい。
【００２２】
スキャンレポートは、端末によりスキャンされた搬送波の情報を含み、その情報は、スキャンされた搬送波数、スキャンされた搬送波のマーク、スキャンされた搬送波の周波数、スキャンされた搬送波の帯域幅の中の少なくとも一つを含むことが好ましい。
【発明の効果】
【００２３】
本発明によると、端末がスキャンした後、基地局にスキャンレポートを送信することによって、多重搬送波システムにおいて端末が基地局にスキャンレポートを送信する方案が開示されていない課題を解決し、端末がスキャンした後スキャンレポートを適時に基地局に送信することができる。
【００２４】
本発明の他の特徴及びメリットは明細書において説明し、明細書からさらに明確になる、又は本発明を実施することによって把握できる。本発明の目的及び他のメリットは、明細書、特許請求の範囲、図面に特別に指摘された構造によって実現することができる。
【図面の簡単な説明】
【００２５】
【図１】本発明の実施例に係わる多重搬送波システムに基づくスキャンレポート送信方法を示すフローチャートである。
【図２】本発明の実施例に係わる実施例１のフローチャートである。
【図３】本発明の実施例に係わる実施例２のフローチャートである。
【図４】本発明の実施例に係わる実施例３のフローチャートである。
【図５】本発明の実施例に係わる実施例４のフローチャートである。
【図６】本発明の実施例に係わる端末のブロック図である。
【発明を実施するための形態】
【００２６】
ここで説明する図面は本発明を理解させるためのものであり、本発明の一部を構成し、本発明における実施例と共に本発明を解釈し、本発明を不当に限定するものではない。
【００２７】
機能の説明
通信分野において、端末が基地局内のハンドオーバ又は基地局間でのハンドオーバを行う場合、各搬送波の周波数、帯域幅などの情報に基づいて複数の搬送波にスキャンを行う必要があるが、スキャンの後、端末により基地局に多重搬送波スキャンレポートを送信する方案が未だに開示されていない。従って、本発明は、改善された、多重搬送波システムに基づくスキャンレポート送信方法を提供し、該方案において、端末が基地局指示搬送波の第１の配置パラメータ及び端末によりスキャンレポートを送信するに必要な第２の配置パラメータを取得し；端末が第１の配置パラメータに基づいて基地局指示搬送波にスキャンを行ってスキャンレポートを作成し、第２の配置パラメータに基づいてスキャンレポートを基地局に送信する。ここで、上記基地局指示搬送波は、基地局における搬送波及び／又は隣り合う基地局の搬送波の中の一つ又は複数の搬送波である。
【００２８】
以下、図面を参照して本発明の好適な実施例を説明する。なお、以下の好適な実施例は本発明を説明し解釈するためのものであり、本発明を限定するものではない。
【００２９】
以下の説明において、本発明をよりよく理解するために、解釈を目的とし、複数の特定の部分について説明する。しかし、このような特定の部分の説明がない場合においても、本発明を実現できることは言うまでもない。また、本発明の特許請求の範囲に記載の精神及び範囲を逸脱しないことを前提に、以下の実施例及び実施例の各部分を様々に結合させることができる。
【００３０】
方法の実施例
本発明の実施例によると、多重搬送波システムに基づくスキャンレポート送信方法を提供する。図１は、本発明の実施例に係わる多重搬送波システムに基づくスキャンレポート送信方法のフローチャートである。
【００３１】
図１に示す処理を行う前、基地局はまず、端末によりスキャンすべき指示搬送波（又は、基地局の推薦搬送波とも言われる）を確定して指示搬送波の第１の配置パラメータを設定する。ここで、基地局指示搬送波は基地局における搬送波及び／又は基地局に隣り合う基地局の搬送波の中の一つ又は複数の搬送波であって、基地局指示搬送波が全配置搬送波であることが好ましい。
【００３２】
そして、基地局は、端末によりスキャンレポートを送信するに必要な第２の配置パラメータを設定しなければならない。上記の第１の配置パラメータと第２の配置パラメータを設定した後、基地局は、第１の配置パラメータと第２の配置パラメータを端末に送信する。図１に示すように、多重搬送波システムに基づくスキャンレポート送信方法は以下のステップを含む（ステップＳ１０２〜ステップＳ１０４）。
【００３３】
ステップＳ１０２：端末は、基地局指示搬送波の第１の配置パラメータとスキャンレポートを送信するに必要な第２の配置パラメータを取得する。そして、上記第１の配置パラメータは、基地局指示搬送波のマーク、基地局指示搬送波の周波数、基地局指示搬送波の帯域幅の中の少なくとも一つ含み、上記第２の配置パラメータは、スキャンレポートを送信するか否かのマーク、スキャンレポート送信方式のうちの少なくとも一つを含む。実際の応用において、第１の配置パラメータと第２の配置パラメータに含まれる情報は上記内容に限定されることがない。
【００３４】
ステップＳ１０４：端末は第１の配置パラメータに基づいて基地局指示搬送波にスキャンを行ってスキャンレポートを作成し、第２の配置パラメータに基づいてスキャンレポートを基地局に送信する。スキャンレポートは、端末によりスキャンされた搬送波情報を含み、スキャンされた搬送波情報は、スキャンされた搬送波量、スキャンされた搬送波のマーク、スキャンされた搬送波の周波数、スキャンされた搬送波の帯域幅の中の少なくとも一つを含む。
【００３５】
以下、実施例を結合し、本発明の上記技術方案を説明する。
【００３６】
実施例１
本実施例において、当該基地局の搬送波情報（即ち、基地局の多重搬送波情報）は、基地局によりＭＯＢ＿ＳＭＣ−ＡＤＶメッセージを介して端末に放送され、スキャン要請シグナリングは、端末によりＭＯＢ＿ＳＣＮ−ＲＥＱメッセージを介して基地局に送信され、スキャン応答メッセージは、基地局によりＭＯＢ＿ＳＣＮ−ＲＳＰメッセージを介して端末に送信され、スキャンレポートは、端末によりＭＯＢ＿ＳＣＮ−ＲＥＰメッセージを介して基地局に送信される。図２は、本発明の実施例に係わる実施例１のフローチャートである。図２に示すように、以下の処理を含む：
ステップ１：多重搬送波を支援するサービング基地局が端末に当該基地局の全ての搬送波情報を放送する。具体的に、サービング基地局の多重搬送波情報は、ＭＯＢ＿ＳＭＣ−ＡＤＶメッセージに含まれることが可能であり、当該メッセージは新規のメッセージで基地局内部の搬送波情報に係わるシステム情報であって、サービング基地局が放送チャネルを介してサービス領域内の端末に放送することができる。表１に、多重搬送波を支援するＭＯＢ＿ＳＭＣ−ＡＤＶメッセージのメッセージ形式を示し、その中、当該メッセージにおける多重搬送波情報は、多重搬送波セルに含まれる搬送波数、搬送波マーク（ＳＣＩＤ）、搬送波の周波数（ＳＣＦ）、搬送波の帯域幅（ＳＣＢ）を含むが、これに限定されることはない。ＭＯＢ＿ＳＭＣ−ＡＤＶメッセージに、1、現在のサービング基地局の多重搬送波量（Ｎ＿ＳＣＡＲＲＩＥＲＳ）、２、全配置搬送波であるか否かを表すプロンプト（ＳＦＣ  ｆｌａｇ）、３、現在のサービング基地局の全配置搬送波量（Ｎ＿ＳＦＣＡＲＲＩＥＲＳ）を更に追加する必要がある。
【００３７】
【表１】
0005511846.tif 000002
【００３８】
ステップ２：サービング搬送波が端末に良好な無線条件を提供することができない場合、端末は、スキャン要請シグナリングをサービング基地局に送信し、現在のサービング基地局の搬送波をスキャンするようにスキャン時間を割り当てることを要請する。具体的に、端末がサービング基地局にスキャン要請シグナリングを送信する場合、スキャン要請シグナリングをＭＯＢ＿ＳＣＮ−ＲＥＱメッセージに含ませて送信することができる。表２Ａ，２Ｂに多重搬送波を支援するＭＯＢ＿ＳＣＮ−ＲＥＱメッセージのメッセージ形式を示す。表２Ａ，２Ｂに示すように、ＭＯＢ＿ＳＣＮ−ＲＥＱメッセージに、１、Ｎ＿Ｒｅｃｏｍｍｅｎｄｅｄ＿ＳＭＣ＿Ｉｎｄｅｘの値が０ｘＦＦであるとサービング基地局搬送波のビットマップ・インデックス（ＳＭＣ＿Ｂｉｔｍａｐ＿Ｉｎｄｅｘ）を用いてＭＯＢ＿ＳＭＣ−ＡＤＶメッセージにおけるサービング基地局搬送波のインデックスを識別する必要があることを表し、Ｎ＿Ｒｅｃｏｍｍｅｎｄｅｄ＿ＳＭＣ＿Ｉｎｄｅｘの値が０ｘＦＦでないとＭＯＢ＿ＳＭＣ−ＡＤＶメッセージに推薦された搬送波数を表する推薦されたサービング基地局搬送波の量のインデックス（Ｎ＿Ｒｅｃｏｍｍｅｎｄｅｄ＿ＳＭＣ＿Ｉｎｄｅｘ）、２、サービング基地局の全配置搬送波のビットマップ・インデックスのサイズを表するサービング基地局の搬送波のビットマップ・サイズ（ＳＭＣ＿Ｂｉｔｍａｐ＿Ｓｉｚｅ）、３、サービング基地局の全配置搬送波のビットマップ・インデックスを表するサービング基地局の搬送波のビットマップ・インデックス（ＳＭＣ＿Ｂｉｔｍａｐ＿Ｉｎｄｅｘ）、４、ＭＯＢ＿ＳＭＣ−ＡＤＶメッセージにおけるサービング基地局の搬送波の位置インデックスを表するサービング基地局の搬送波のインデックス（ＳＭＣ＿ＢＳ＿Ｉｎｄｅｘ）等のパラメータを更に含ませることができる。
【００３９】
【表２Ａ】
0005511846.tif 000003
【００４０】
【表２Ｂ】
0005511846.tif 000004
【００４１】
ステップ３：サービング基地局は、スキャン要請シグナリングを含む端末からのＭＯＢ＿ＳＣＮ−ＲＥＱメッセージを受信した後、端末が実行中のサービス及び／又は基地局内部のスケジューリングアルゴリズム等に基づいて、端末によりサービング基地局の搬送波のスキャンを開始可能であるか否かを確定する。具体的に、サービング基地局が端末に要請された時間と同等の長さのスキャン区間（即ち、スキャン持続時間）を付与した場合、端末はサービング基地局の搬送波のスキャンを開始可能であって、サービング基地局が端末に付与したスキャン持続時間が０であると、サービング基地局が端末の搬送波のスキャン要請を拒否したことを表す。
【００４２】
ステップ４：サービング基地局が、端末のサービング基地局の搬送波のスキャンが開始可能であると確定した場合、端末にスキャン応答メッセージを送信する（図１のステップＳ１０２に対応する）。具体的に、サービング基地局が端末に送信するスキャン応答メッセージはＭＯＢ＿ＳＣＮ−ＲＳＰメッセージに含まれることができる。当該メッセージは、基本接続識別子（ＢＡＳＩＣ  ＣＩＤ）を介して送信される。表３Ａ〜３Ｃに多重搬送波を支援するＭＯＢ＿ＳＣＮ−ＲＳＰメッセージのメッセージ形式を示す。表３Ａ〜３Ｃに示すように、メッセージに、１、ＭＯＢ＿ＳＭＣ−ＡＤＶメッセージにおいて搬送波インデックスのビットマップ（Ｕｓｅ_ＳＭＣ＿Ｂｉｔｍａｐ＿Ｉｎｄｅｘ）が利用されたか否か、２、ＭＯＢ＿ＳＣＮ−ＲＥＱメッセージにおいて搬送波インデックスのビットマップ（Ｕｓｅ＿ＲｅｑＳＭＣ＿Ｂｉｔｍａｐ＿Ｉｎｄｅｘ）が利用されたか否か、３、ＭＯＢ＿ＳＭＣ−ＡＤＶメッセージに配置された変数（Ｃｏｎｆｉｇｕｒａｔｉｏｎ  Ｃｈａｎｇｅ  Ｃｏｕｎｔ  Ｆｏｒ  ＭＯＢ＿ＳＭＣ−ＡＤＶ）、４、ＭＯＢ＿ＳＭＣ−ＡＤＶメッセージにおけるビットマップ・インデックスのサイズ（ＳＭＣ＿Ｂｉｔｍａｐ＿Ｓｉｚｅ）、５、対応する搬送波が推薦されたか（ＳＭＣ＿Ｂｉｔｍａｐ＿Ｉｎｄｅｘ）、６、推薦された搬送波数（Ｎ＿Ｒｅｃｏｍｍｅｎｄｅｄ＿ＳＭＣ＿Ｉｎｄｅｘ）、７、ＭＯＢ＿ＳＭＣ−ＡＤＶメッセージにおける搬送波インデックス（ＳＭＣ＿Ｉｎｄｅｘ）、８、４８ビットのマーク（ＩＤ）を用いた推薦されたサービング搬送波数（Ｎ＿Ｒｅｃｏｍｍｅｎｄｅｄ＿ＳＭＣ＿Ｆｕｌｌ）、９、推薦された搬送波ＩＤ（Ｒｅｃｏｍｍｅｎｄｅｄ  ＳＭＣ  ＩＤ）等のパラメータを更に追加することができる。
【００４３】
【表３Ａ】
0005511846.tif 000005
【００４４】
【表３Ｂ】
0005511846.tif 000006
【００４５】
【表３Ｃ】
0005511846.tif 000007
【００４６】
ステップ５：端末がサービング基地局からのスキャン持続時間が０でないスキャン応答を受信した場合、サービング基地局の搬送波をスキャンし始める。そして、スキャン応答におけるパラメータに基づいて、多重搬送波のスキャンレポートを送信するか否か及び上記スキャンレポートをどのように送信するかを確定する（図１におけるステップＳ１０４に対応する）。具体的には、スキャン応答メッセージにおいて、Ｒｅｐｏｒｔ  ｍｏｄｅ＝０ｂ００であると、端末がスキャンレポートを送信する必要がないことを表し、Ｒｅｐｏｒｔ  ｍｏｄｅ＝０ｂ０１であると、スキャンレポートを周期的に送信する必要があることを表し、Ｒｅｐｏｒｔ  ｍｏｄｅ＝０ｂ１０であると、イベント開始レポート（開始条件を満たすのであれば）を送信する必要があることを表し、Ｒｅｐｏｒｔ  ｍｏｄｅ＝０ｂ１１であると、スキャンレポートを一回のみ送信する必要があることを表する。
【００４７】
そして、端末のサービング基地局に対する多重搬送波のスキャンレポートはＭＯＢ＿ＳＣＮ−ＲＥＰメッセージに含まれることが可能であり、そのメッセージは主要管理接続識別子（ＣＩＤ）を介して送信される。表４Ａ〜４Ｅに多重搬送波を支援するＭＯＢ＿ＳＣＮ−ＲＥＰメッセージのメッセージ形式を示し、表４Ａ〜４Ｅに示すように、当該メッセージには、ＭＯＢ＿ＳＣＮ−ＲＥＱメッセージにおいて問い合わせたサービング基地局の多重搬送波の全ての情報が含まれる。具体的には、当該メッセージに、１、現在のサービング基地局に含まれた多重搬送波数（Ｎ＿ｃｕｒｒｅｎｔ＿ＳＭＣｓ）、２、ＭＯＢ＿ＳＭＣ−ＡＤＶメッセージにおいて搬送波インデックスのビットマップ（Ｕｓｅ_ＳＭＣ＿Ｂｉｔｍａｐ＿Ｉｎｄｅｘ）が利用されたか否か、３、ＭＯＢ＿ＳＣＮ−ＲＳＰメッセージにおいて搬送波インデックスのビットマップ（Ｕｓｅ＿ＲｓｐＳＭＣ＿Ｂｉｔｍａｐ＿Ｉｎｄｅｘ）が利用されたか否か、４、ＳＭＣ＿Ｂｉｔｍａｐ＿Ｉｎｄｅｘ、５、ＲｓｐＳＭＣ＿Ｂｉｔｍａｐ＿Ｉｎｄｅｘ、６、ＲｓｐＳＭＣ＿Ｂｉｔｍａｐ＿Ｉｎｄｅｘのサイズ（ＲｓｐＳＭＣ＿Ｂｉｔｍａｐ＿Ｓｉｚｅ）、７、サービング基地局の一時的な多重搬送波ＩＤ（Ｔｅｍｐ  ＳＭＣＩＤ）、８、ＭＯＢ＿ＳＭＣ−ＡＤＶメッセージに配置された変数（Ｃｏｎｆｉｇｕｒａｔｉｏｎ  Ｃｈａｎｇｅ  Ｃｏｕｎｔ  Ｆｏｒ  ＭＯＢ＿ＳＭＣ−ＡＤＶ）、９、Ｕｓｅ_ＳＭＣ＿Ｂｉｔｍａｐ＿Ｉｎｄｅｘのサイズ（ＳＭＣ＿Ｂｉｔｍａｐ＿Ｓｉｚｅ）、１０、対応する搬送波が推薦されたか（ＳＭＣ＿Ｂｉｔｍａｐ＿Ｉｎｄｅｘ）、１１、搬送波数（Ｎ＿ＳＭＣ＿Ｉｎｄｅｘ）、１２、ＭＯＢ＿ＳＭＣ−ＡＤＶメッセージにおける搬送波インデックス（ＳＭＣ＿Ｉｎｄｅｘ）、１３、４８ビットのＩＤを利用した推薦されたサービング搬送波数（Ｎ＿ＳＭＣ＿Ｆｕｌｌ）、１４、推薦された搬送波ＩＤ（ＳＭＣ  ＩＤ）、１５、ＭＯＢ＿ＳＣＮ−ＲＳＰメッセージにおける搬送波インデックスのビットマップ（ＲｓｐＳＭＣ＿Ｂｉｔｍａｐ＿Ｉｎｄｅｘ）等のパラメータをさらに追加することができる。
【００４８】
【表４Ａ】
0005511846.tif 000008
【００４９】
【表４Ｂ】
0005511846.tif 000009
【００５０】
【表４Ｃ】
0005511846.tif 000010
【００５１】
【表４Ｄ】
0005511846.tif 000011
【００５２】
【表４Ｅ】
0005511846.tif 000012
【００５３】
上述の内容から、端末はＭＯＢ＿ＳＣＮ−ＲＥＰメッセージを介して基地局にその基地局の多重搬送波のスキャンレポートを送信できることが分かる。
【００５４】
実施例２
本実施例において、基地局の搬送波情報（即ち、基地局の多重搬送波情報）はサービング基地局によりＭＯＢ＿ＳＭＣ−ＡＤＶメッセージを介して端末に放送され、スキャン要請シグナリングは端末によりＭＯＢ＿ＳＭＣ−ＲＥＱメッセージを介して基地局に送信され、スキャン応答メッセージは基地局によりＭＯＢ＿ＳＭＣ−ＲＳＰメッセージを介して端末に送信され、スキャンレポートは端末によりＭＯＢ＿ＳＭＣ−ＲＥＰメッセージを介して基地局に送信される。図３は、本発明の実施例に係わる実施例２のフローチャートである。図３に示すように、以下の処理を含む。
【００５５】
ステップ１：多重搬送波を支援するサービング基地局は、端末に当該基地局の全ての搬送波情報を放送する。具体的には、サービング基地局の多重搬送波情報は、ＭＯＢ＿ＳＭＣ−ＡＤＶメッセージに含まれることが可能であり、当該メッセージ（ＭＯＢ＿ＳＭＣ−ＡＤＶメッセージ）は、新規のメッセージであり、基地局内部の搬送波情報に関するシステムメッセージであって、サービング基地局が放送チャネルを介して当該サービング基地局のサービス領域内の端末に放送することができる。多重搬送波を支援するＭＯＢ＿ＳＭＣ−ＡＤＶメッセージ形式は表１を参照でき、当該メッセージにおける多重搬送波情報は、当該多重搬送波セルに含まれた搬送波数と、搬送波マーク（ＳＣＩＤ）と、搬送波の周波数（ＳＣＦ）と、搬送波の帯域幅（ＳＣＢ）等のパラメータを含み、これに限定されることはない。ＭＯＢ＿ＳＭＣ−ＡＤＶメッセージに、１、現在サービング基地局の多重搬送波数Ｎ＿ＳＣＡＲＲＩＥＲＳ、２、全配置搬送波であるか否かを表するプロンプトＳＦＣ  ｆｌａｇ、３、現在のサービング基地局の全配置搬送波数Ｎ＿ＳＦＣＡＲＲＩＥＲＳ等のパラメータをさらに追加することができる。
【００５６】
ステップ２：現在のサービング搬送波が端末に良好な無線条件を提供することができない場合、端末はサービング基地局にスキャン要請シグナリングを送信して現在のサービング基地局の搬送波をスキャンするように一定の時間を割り当てることを要請する。具体的には、端末がサービング基地局にスキャン要請シグナリングを送信する場合、ＭＯＢ＿ＳＭＣ−ＲＥＱメッセージを介してスキャン要請を送信してスキャン区間、スキャン推定時間の割り当て又は開始フレームの推薦を要請する。ＭＯＢ＿ＳＭＣ−ＲＥＱメッセージは、新規のメッセージであり、表５Ａ，５Ｂに多重搬送波を支援するＭＯＢ＿ＳＭＣ−ＲＥＱメッセージのメッセージ形式を示した。表５Ａ，５Ｂに示すように、ＭＯＢ＿ＳＭＣ−ＲＥＱメッセージには、１、スキャン持続時間（Ｓｃａｎ  Ｄｕｒａｔｉｏｎ）、２、交替区間（Ｉｎｔｅｒｌｅａｖｉｎｇ  ｉｎｔｅｒｖａｌ）、３、スキャン回数（Ｓｃａｎ  Ｉｔｅｒａｔｉｏｎ）、４、推薦されたサービング基地局搬送波数インデックス（Ｎ＿Ｒｅｃｏｍｍｅｎｄｅｄ＿ＳＭＣ＿Ｉｎｄｅｘ）、その中、Ｎ＿Ｒｅｃｏｍｍｅｎｄｅｄ＿ＳＭＣ＿Ｉｎｄｅｘの値が０ｘＦＦであると、サービング基地局の搬送波のビットマップ・インデックス（ＳＭＣ＿Ｂｉｔｍａｐ＿Ｉｎｄｅｘ）を用いてＭＯＢ＿ＳＭＣ−ＡＤＶメッセージにおけるサービング基地局の搬送波インデックスを識別する必要があることを表し、Ｎ＿Ｒｅｃｏｍｍｅｎｄｅｄ＿ＳＭＣ＿Ｉｎｄｅｘの値が０ｘＦＦでないと、ＭＯＢ＿ＳＭＣ−ＡＤＶメッセージに推薦された搬送波数を推薦することを表し、５、サービング基地局の全配置搬送波のビットマップ・インデックスのサイズを表すサービング基地局の搬送波のビットマップ・サイズ（ＳＭＣ＿Ｂｉｔｍａｐ＿Ｓｉｚｅ）、６、サービング基地局の全配置搬送波のビットマップ・インデックスを表するサービング基地局の搬送波のビットマップ・インデックス（ＳＭＣ＿Ｂｉｔｍａｐ＿Ｉｎｄｅｘ）、７、ＭＯＢ＿ＳＭＣ−ＡＤＶメッセージにおけるサービング基地局の搬送波の位置インデックスを表すサービング基地局の搬送波のインデックス（ＳＭＣ＿ＢＳ＿Ｉｎｄｅｘ）（図１におけるステップＳ１０４に対応する）等のパラメータをさらに含むことができる。
【００５７】
【表５Ａ】
0005511846.tif 000013
【００５８】
【表５Ｂ】
0005511846.tif 000014
【００５９】
ステップ３：現在のサービング基地局が端末からのスキャン要請シグナリングが含まれたＭＯＢ＿ＳＭＣ−ＲＥＱメッセージを受信した後、サービング基地局は、端末が実行中のサービス及び／又は基地局内部のスケジューリングアルゴリズム等に基づいて端末によりサービング基地局の搬送波のスキャンを開始してよいか否かを確定する。具体的には、サービング基地局が端末に要請した時間と同等の長さのスキャン区間（即ち、スキャン持続時間）を付与してあれば、端末はサービング基地局の搬送波のスキャンを開始でき、サービング基地局が端末に付与したスキャン持続時間が０であると、サービング基地局が端末の搬送波スキャン要請を拒否したことを表す。
【００６０】
ステップ４：サービング基地局が端末によりサービング基地局の搬送波のスキャンを開始できると確定した場合、端末にスキャン応答メッセージを送信する（図１におけるステップＳ１０２に対応する）。具体的には、端末の多重搬送波スキャン要請に対するサービング基地局の応答は新規のメッセージであるＭＯＢ＿ＳＭＣ−ＲＳＰに含まれることが可能である。当該メッセージはＢＡＳＩＣ  ＣＩＤを介して送信される。表６Ａ〜６Ｃに多重搬送波を支援するＭＯＢ＿ＳＭＣ−ＲＳＰメッセージのメッセージ形式を示した。表６Ａ〜６Ｃに示すように、そのメッセージには、１、スキャン持続時間（Ｓｃａｎ  Ｄｕｒａｔｉｏｎ）、２、レポートモード（Ｒｅｐｏｒｔ  Ｍｏｄｅ）、３、レポート周期（Ｒｅｐｏｒｔ  ｐｅｒｉｏｄ）、４、レポートメトリック（Ｒｅｐｏｒｔ  ｍｅｔｒｉｃ）、５、スキャンタイプ（Ｓｃａｎｎｉｎｇ＿ｔｙｐｅ）、６、ＭＯＢ＿ＳＭＣ−ＡＤＶメッセージ（多重搬送波情報を送信する第１のメッセージ）において搬送波インデックスのビットマップが利用されたか否か（Ｕｓｅ_ＳＭＣ＿Ｂｉｔｍａｐ＿Ｉｎｄｅｘ）、７、ＭＯＢ＿ＳＣＮ−ＲＥＱメッセージ（スキャン要請シグナリングを送信する第２のメッセージ）において搬送波インデックスのビットマップが利用されたか否か（Ｕｓｅ＿ＲｅｑＳＭＣ＿Ｂｉｔｍａｐ＿Ｉｎｄｅｘ）、８、ＭＯＢ＿ＳＭＣ−ＡＤＶメッセージに配置された変数（Ｃｏｎｆｉｇｕｒａｔｉｏｎ  Ｃｈａｎｇｅ  Ｃｏｕｎｔ  Ｆｏｒ  ＭＯＢ＿ＳＭＣ−ＡＤＶ）、９、ＭＯＢ＿ＳＭＣ−ＡＤＶメッセージにおけるビットマップ・インデックスのサイズ（ＳＭＣ＿Ｂｉｔｍａｐ＿Ｓｉｚｅ）、１０、対応する搬送波が推薦されたか（ＳＭＣ＿Ｂｉｔｍａｐ＿Ｉｎｄｅｘ）、１１、推薦された搬送波数（Ｎ＿Ｒｅｃｏｍｍｅｎｄｅｄ＿ＳＭＣ＿Ｉｎｄｅｘ）、１２、ＭＯＢ＿ＳＭＣ−ＡＤＶメッセージにおける搬送波インデックス（ＳＭＣ＿Ｉｎｄｅｘ）、１３、４８ビットマーク（ＩＤ）を利用した推薦されたサービング搬送波数（Ｎ＿Ｒｅｃｏｍｍｅｎｄｅｄ＿ＳＭＣ＿Ｆｕｌｌ）、１４、推薦された搬送波ＩＤ（Ｒｅｃｏｍｍｅｎｄｅｄ  ＳＭＣ  ＩＤ）等のパラメータをさらに追加することができる。
【００６１】
【表６Ａ】
0005511846.tif 000015
【００６２】
【表６Ｂ】
0005511846.tif 000016
【００６３】
【表６Ｃ】
0005511846.tif 000017
【００６４】
ステップ５：端末がサービング基地局からのスキャン持続時間が０でないスキャン応答を受信した場合、サービング基地局の搬送波をスキャンし始める。また、スキャン応答におけるパラメータに基づいて、多重搬送波のスキャンレポートを送信するか否か及び上記スキャンレポートをどのように送信するかを確定する（図１におけるステップＳ１０４に対応する）。具体的には、スキャン応答メッセージにおいてＲｅｐｏｒｔ  Ｍｏｄｅ＝０ｂ００である場合、端末がスキャンレポートを送信する必要がないことを表し、Ｒｅｐｏｒｔ  Ｍｏｄｅ＝０ｂ０１であると、スキャンレポートを周期的に送信する必要があることを表し、Ｒｅｐｏｒｔ  Ｍｏｄｅ＝０ｂ１０であると、イベント開始レポート（開始条件を満たすのであれば）を送信する必要があることを表し、Ｒｅｐｏｒｔ  Ｍｏｄｅ＝０ｂ１１であると、スキャンレポートを一回のみ送信する必要があることを表す。
【００６５】
そして、端末の、サービング基地局の多重搬送波に対するスキャンレポートは新規のメッセージであるＭＯＢ＿ＳＭＣ−ＲＥＰメッセージに含まれることが可能であり、当該メッセージは主要管理ＣＩＤを介して送信される。表７Ａ〜７Ｄに多重搬送波を支援するＭＯＢ＿ＳＭＣ−ＲＥＰメッセージのメッセージ形式を示し、当該メッセージに、ＭＯＢ＿ＳＣＮ−ＲＥＱメッセージにおいて問い合わせたサービング基地局多重搬送波のすべての情報が含まれる。具体的には、当該メッセージに、１、サービング基地局の搬送波の搬送波対雑音比の平均値（ＳＭＣ  ＣＩＮＲ  ｍｅａｎ）、２、サービング基地局の受信信号強度の指示平均値（ＳＭＣ  ＲＳＳＩ  ｍｅａｎ）、３、相対的な遅延（Ｒｅｌａｔｉｖｅ  ｄｅｌａｙ）、４、端末とサービング搬送波との間の復路遅延（ＳＭＣＲＴＤ）をスキャン、５、現在のサービング基地局に含まれている多重搬送波数（Ｎ＿ｃｕｒｒｅｎｔ＿ＳＭＣｓ）、６、ＭＯＢ＿ＳＭＣ−ＡＤＶメッセージにおいて搬送波インデックスのビットマップが利用されたか否か（Ｕｓｅ_ＳＭＣ＿Ｂｉｔｍａｐ＿Ｉｎｄｅｘ）、７、ＭＯＢ＿ＳＣＮ−ＲＳＰメッセージにおいて搬送波インデックスのビットマップが利用されたか否か（Ｕｓｅ＿ＲｓｐＳＭＣ＿Ｂｉｔｍａｐ＿Ｉｎｄｅｘ）、８、ＳＭＣ＿Ｂｉｔｍａｐ＿Ｉｎｄｅｘ、９、ＲｓｐＳＭＣ＿Ｂｉｔｍａｐ＿Ｉｎｄｅｘ、１０、ＲｓｐＳＭＣ＿Ｂｉｔｍａｐ＿Ｉｎｄｅｘのサイズ（ＲｓｐＳＭＣ＿Ｂｉｔｍａｐ＿Ｓｉｚｅ）、１１、サービング基地局の一時的な多重搬送波ＩＤ（Ｔｅｍｐ  ＳＭＣ  ＩＤ）、１２、ＭＯＢ＿ＳＭＣ−ＡＤＶメッセージに配置された変数（Ｃｏｎｆｉｇｕｒａｔｉｏｎ  Ｃｈａｎｇｅ  Ｃｏｕｎｔ  Ｆｏｒ  ＭＯＢ＿ＳＭＣ−ＡＤＶ）、１３、Ｕｓｅ_ＳＭＣ＿Ｂｉｔｍａｐ＿Ｉｎｄｅｘのサイズ（ＳＭＣ＿Ｂｉｔｍａｐ＿Ｓｉｚｅ）、１４、対応する搬送波が推薦されたか（ＳＭＣ＿Ｂｉｔｍａｐ＿Ｉｎｄｅｘ）、１５、搬送波数（Ｎ＿ＳＭＣ＿Ｉｎｄｅｘ）、１６、ＭＯＢ＿ＳＭＣ−ＡＤＶメッセージにおける搬送波インデックス（ＳＭＣ＿Ｉｎｄｅｘ）、１７、４８ビットのＩＤを利用した推薦されたサービング搬送波数（Ｎ＿ＳＭＣ＿Ｆｕｌｌ）、１８、推薦された搬送波ＩＤ（ＳＭＣ  ＩＤ）、１９、ＭＯＢ＿ＳＣＮ−ＲＳＰメッセージにおける搬送波インデックスのビットマップ（ＲｓｐＳＭＣ＿Ｂｉｔｍａｐ＿Ｉｎｄｅｘ）をさらに設定することができる。
【００６６】
【表７Ａ】
0005511846.tif 000018
【００６７】
【表７Ｂ】
0005511846.tif 000019
【００６８】
【表７Ｃ】
0005511846.tif 000020
【００６９】
【表７Ｄ】
0005511846.tif 000021
【００７０】
上述の内容から、端末はＭＯＢ＿ＳＭＣ−ＲＥＰメッセージを介して基地局に当該基地局の多重搬送波のスキャンレポートを送信できることが分かる。
【００７１】
実施例３
該実施例において、隣り合う基地局の搬送波情報（即ち、基地局の多重搬送波情報）は、基地局によりＭＯＢ＿ＮＢＲ−ＡＤＶメッセージを介して端末に放送され、スキャン要請シグナリングは端末によりＭＯＢ＿ＳＣＮ−ＲＥＱメッセージを介して基地局に送信され、スキャン応答メッセージは基地局によりＭＯＢ＿ＳＣＮ−ＲＳＰメッセージを介して端末に送信され、スキャンレポートは端末によりＭＯＢ＿ＳＣＮ−ＲＥＰメッセージを介して基地局に送信される。図４は、本発明の実施例に係わる実施例３のフローチャートである。図４に示すように、以下の処理を含む。
【００７２】
ステップ１：多重搬送波を支援するサービング基地局は端末に隣り合う基地局の全ての搬送波情報（上記多重搬送波情報）を放送する。具体的には、隣り合う基地局の多重搬送波情報はＭＯＢ＿ＮＢＲ−ＡＤＶメッセージに含まれることができる。表８に多重搬送波を支援するＭＯＢ＿ＮＢＲ−ＡＤＶメッセージのメッセージ形式を示す。表８に示すように、当該メッセージにおける多重搬送波情報は、隣り合う基地局のマークと、プリアンブルインデックス/サブチャネルインデックスと、コロケーションであるか否かの指示と、時間周波数同期指示と、全配置搬送波であるか否か、多重搬送波セルに含まれた搬送波数と、搬送波マーク（ＳＣＩＤ）と、搬送波の周波数（ＳＣＦ）と、搬送波の帯域幅（ＳＣＢ）等のパラメータを含むが、これに限定されることはない。
【００７３】
【表８】
0005511846.tif 000022
【００７４】
ステップ２：サービング搬送波が端末に良好な無線条件を提供することができない場合、端末はサービング基地局にスキャン要請シグナリングを送信して隣り合う基地局の搬送波をスキャンするようにスキャン時間を割り当てることを要請する。具体的には、端末がサービング基地局に隣り合う基地局搬送波をスキャンするスキャン要請シグナリングを送信する場合、スキャン要請シグナリングをＭＯＢ＿ＳＣＮ−ＲＥＱメッセージに含ませて送信することができる。表９Ａ，９Ｂに多重搬送波を支援するＭＯＢ＿ＳＣＮ−ＲＥＱメッセージのメッセージ形式を示す。表９Ａ，９Ｂに示すように、ＭＯＢ＿ＳＣＮ−ＲＥＱメッセージに、１、推薦された隣り合う基地局搬送波数のインデックス（Ｎ＿Ｒｅｃｏｍｍｅｎｄｅｄ＿ＳＭＣ＿Ｉｎｄｅｘ）、その中、Ｎ＿Ｒｅｃｏｍｍｅｎｄｅｄ＿ＳＭＣ＿Ｉｎｄｅｘの値が０ｘＦＦであると、隣り合う基地局の搬送波のビットマップ・インデックス（ＳＭＣ＿Ｂｉｔｍａｐ＿Ｉｎｄｅｘ）を用いてＭＯＢ＿ＮＢＲ−ＡＤＶメッセージにおける隣り合う基地局の搬送波のインデックスを識別する必要があることを表し、Ｎ＿Ｒｅｃｏｍｍｅｎｄｅｄ＿ＳＭＣ＿Ｉｎｄｅｘの値が０ｘＦＦでないと、ＭＯＢ＿ＮＢＲ−ＡＤＶメッセージに推薦された搬送波数を表し、２、隣り合う基地局の全配置搬送波のビットマップ・インデックスのサイズを表す隣り合う基地局搬送波のビットマップサイズ（ＳＭＣ＿Ｂｉｔｍａｐ＿Ｓｉｚｅ）、３、隣り合う基地局の全配置搬送波のビットマップ・インデックスを表す隣り合う基地局搬送波のビットマップ・インデックス（ＳＭＣ＿Ｂｉｔｍａｐ＿Ｉｎｄｅｘ）、４、ＭＯＢ＿ＮＢＲ−ＡＤＶメッセージにおける隣り合う基地局の搬送波の位置インデックスを表す隣り合う基地局の搬送波のインデックス（ＳＭＣ＿ＢＳ＿Ｉｎｄｅｘ）等のパラメータを含ませることができる。
【００７５】
【表９Ａ】
0005511846.tif 000023
【００７６】
【表９Ｂ】
0005511846.tif 000024
【００７７】
ステップ３：サービング基地局が端末からのスキャン要請シグナリングが含まれたＭＯＢ＿ＳＣＮ−ＲＥＱメッセージを受信した後、サービング基地局は端末が実行中であるサービス及び／又は基地局内部のスケジューリングアルゴリズム等に基づいて端末により隣り合う基地局の搬送波のスキャンを開始してよいか否かを確定する。具体的には、サービング基地局が端末に要請した時間と同等の長さのスキャン区間（即ち、スキャン持続時間）を付与した場合、端末は隣り合う基地局の搬送波のスキャンを開始でき、サービング基地局が端末に付与したスキャン持続時間が０であると、サービング基地局が端末の隣り合う基地局の搬送波のスキャン要請を拒否したことを表す。
【００７８】
ステップ４：サービング基地局が端末により基地局の搬送波のスキャンを開始してよいと確定した場合、端末にスキャン応答メッセージを送信する。具体的には、サービング基地局が端末に送信するスキャン応答メッセージはＭＯＢ＿ＳＣＮ−ＲＳＰメッセージに含まれることができる。当該メッセージは基本接続識別子（ＢＡＳＩＣ  ＣＩＤ）を介して送信される。表１０Ａ〜１０Ｃに多重搬送波を支援するＭＯＢ＿ＳＣＮ−ＲＳＰメッセージのメッセージ形式を示す。表１０Ａ〜１０Ｃに示すように、当該メッセージに、１、ＭＯＢ＿ＮＢＲ−ＡＤＶメッセージにおいて搬送波インデックスのビットマップが利用されたか否か（Ｕｓｅ_ＳＭＣ＿Ｂｉｔｍａｐ＿Ｉｎｄｅｘ）、２、ＭＯＢ＿ＳＣＮ−ＲＥＱメッセージにおいて搬送波インデックスのビットマップが利用されたか否か（Ｕｓｅ＿ＲｅｑＳＭＣ＿Ｂｉｔｍａｐ＿Ｉｎｄｅｘ）、３、ＭＯＢ＿ＮＢＲ−ＡＤＶメッセージに配置された変数（Ｃｏｎｆｉｇｕｒａｔｉｏｎ  Ｃｈａｎｇｅ  Ｃｏｕｎｔ  Ｆｏｒ  ＭＯＢ＿ＳＭＣ−ＡＤＶ）、４、ＭＯＢ＿ＮＢＲ−ＡＤＶメッセージにおけるビットマップ・インデックスのサイズ（ＳＭＣ＿Ｂｉｔｍａｐ＿Ｓｉｚｅ）、５、ＭＯＢ＿ＳＣＮ−ＲＥＱメッセージにおいて対応する搬送波が推薦されたか（ＳＭＣ＿Ｂｉｔｍａｐ＿Ｉｎｄｅｘ）、６、推薦された搬送波数（Ｎ＿Ｒｅｃｏｍｍｅｎｄｅｄ＿ＳＭＣ＿Ｉｎｄｅｘ）、７、ＭＯＢ＿ＮＢＲ−ＡＤＶメッセージにおける搬送波インデックス（ＳＭＣ＿Ｉｎｄｅｘ）、８、４８ビットのマーク（ＩＤ）を利用した推薦されたサービング搬送波数（Ｎ＿Ｒｅｃｏｍｍｅｎｄｅｄ＿ＳＭＣ＿Ｆｕｌｌ）、９、推薦された搬送波ＩＤ（Ｒｅｃｏｍｍｅｎｄｅｄ  ＳＭＣ  ＩＤ）等のパラメータをさらに追加することができる。
【００７９】
【表１０Ａ】
0005511846.tif 000025
【００８０】
【表１０Ｂ】
0005511846.tif 000026
【００８１】
【表１０Ｃ】
0005511846.tif 000027
【００８２】
ステップ５：端末はサービング基地局からのスキャン持続時間が０でないスキャン応答を受信した場合、隣り合う基地局の搬送波をスキャンし始める。また、スキャン応答におけるパラメータに基づいて多重搬送波のスキャンレポートを送信するか否か、及びスキャンレポートをどのように送信するかを確定する（図１におけるステップＳ１０４に対応する）。具体的には、スキャン応答メッセージにおいて、Ｒｅｐｏｒｔ  ｍｏｄｅ＝０ｂ００であると、端末がスキャンレポートを送信する必要がないことを表し、Ｒｅｐｏｒｔ  ｍｏｄｅ＝０ｂ０１であると、スキャンレポートを周期的に送信する必要があることを表し、Ｒｅｐｏｒｔ  ｍｏｄｅ＝０ｂ１０であると、イベント開始レポート（開始条件を満たすのであれば）を送信する必要があることを表し、Ｒｅｐｏｒｔ  ｍｏｄｅ＝０ｂ１１であると、スキャンレポートを一回のみ送信する必要があることを表す。
【００８３】
また、端末の隣り合う基地局の多重搬送波に対するスキャンレポートをＭＯＢ＿ＳＣＮ−ＲＥＰメッセージに含ませることが可能であり、当該メッセージは主要管理接続識別子（ＣＩＤ）を介して送信される。表１１Ａ〜１１Ｅに多重搬送波を支援するＭＯＢ＿ＳＣＮ−ＲＥＰメッセージのメッセージ形式を示す。表１１Ａ〜１１Ｅに示すように、当該メッセージにＭＯＢ＿ＳＣＮ−ＲＥＱメッセージにおいて問い合わせたサービング基地局の多重搬送波の全ての情報が含まれる。具体的には、当該メッセージに、１、現在の隣り合う基地局に含まれた多重搬送波数（Ｎ＿ｃｕｒｒｅｎｔ＿ＳＭＣｓ）、２、ＭＯＢ＿ＮＢＲ−ＡＤＶメッセージにおいて搬送波インデックスのビットマップが利用されたか否か（Ｕｓｅ_ＳＭＣ＿Ｂｉｔｍａｐ＿Ｉｎｄｅｘ）、３、ＭＯＢ＿ＳＣＮ−ＲＳＰメッセージにおいて搬送波インデックスのビットマップが利用されたか否か（Ｕｓｅ＿ＲｓｐＳＭＣ＿Ｂｉｔｍａｐ＿Ｉｎｄｅｘ）、４、ＳＭＣ＿Ｂｉｔｍａｐ＿Ｉｎｄｅｘ、５、ＲｓｐＳＭＣ＿Ｂｉｔｍａｐ＿Ｉｎｄｅｘ、６、ＲｓｐＳＭＣ＿Ｂｉｔｍａｐ＿Ｉｎｄｅｘのサイズ（ＲｓｐＳＭＣ＿Ｂｉｔｍａｐ＿Ｓｉｚｅ）、７、隣り合う基地局の一時的な多重搬送波ＩＤ（Ｔｅｍｐ  ＳＭＣ  ＩＤ）、８、ＭＯＢ＿ＮＢＲ−ＡＤＶメッセージに配置された変数（Ｃｏｎｆｉｇｕｒａｔｉｏｎ  Ｃｈａｎｇｅ  Ｃｏｕｎｔ  Ｆｏｒ  ＭＯＢ＿ＳＭＣ−ＡＤＶ）、９、Ｕｓｅ_ＳＭＣ＿Ｂｉｔｍａｐ＿Ｉｎｄｅｘのサイズ（ＳＭＣ＿Ｂｉｔｍａｐ＿Ｓｉｚｅ）、１０、対応する搬送波が推薦されたか（ＳＭＣ＿Ｂｉｔｍａｐ＿Ｉｎｄｅｘ）、１１、搬送波数（Ｎ＿ＳＭＣ＿Ｉｎｄｅｘ）、１２、ＭＯＢ＿ＮＢＲ−ＡＤＶメッセージにおける搬送波インデックス（ＳＭＣ＿Ｉｎｄｅｘ）、１３、４８ビットのＩＤを利用した推薦されたサービング搬送波数（Ｎ＿ＳＭＣ＿Ｆｕｌｌ）、１４、推薦された搬送波ＩＤ（ＳＭＣ  ＩＤ）、１５、ＭＯＢ＿ＳＣＮ−ＲＳＰメッセージにおける搬送波インデックスのビットマップ（ＲｓｐＳＭＣ＿Ｂｉｔｍａｐ＿Ｉｎｄｅｘ）等のパラメータをさらに追加することができる。
【００８４】
【表１１Ａ】
0005511846.tif 000028
【００８５】
【表１１Ｂ】
0005511846.tif 000029
【００８６】
【表１１Ｃ】
0005511846.tif 000030
【００８７】
【表１１Ｄ】
0005511846.tif 000031
【００８８】
【表１１Ｅ】
0005511846.tif 000032
【００８９】
上述の内容から、端末はＭＯＢ＿ＳＣＮ−ＲＥＰメッセージを介して基地局に隣り合う基地局の多重搬送波のスキャンレポートを送信できることが分かる。
【００９０】
実施例４
本実施例において、隣り合う基地局の搬送波情報はサービング基地局によりＭＯＢ＿ＮＢＲ−ＡＤＶメッセージを介して端末に放送され、スキャン要請シグナリングは端末によりＭＯＢ＿ＳＭＣ−ＲＥＱメッセージを介して基地局に送信され、スキャン応答メッセージは基地局によりＭＯＢ＿ＳＭＣ−ＲＳＰメッセージを介して端末に送信され、スキャンレポートは端末がＭＯＢ＿ＳＭＣ−ＲＥＰメッセージを介して基地局に送信される。図５は、本発明の実施例に係わる実施例４のフローチャートである。図５に示すように、以下のステップを含む。
【００９１】
ステップ１：多重搬送波を支援するサービング基地局は端末に隣り合う基地局の全ての搬送波の情報（上記多重搬送波情報）を放送する。具体的には、隣り合う基地局の多重搬送波情報はＭＯＢ＿ＮＢＲ−ＡＤＶメッセージに含まれることができる。表８に多重搬送波を支援するＭＯＢ＿ＮＢＲ−ＡＤＶメッセージのメッセージ形式を示す。表８に示すように、当該メッセージにおける多重搬送波情報は、隣り合う基地局マークと、プリアンブルインデックス/サブチャネルインデックスと、コロケーションであるか否かの指示と、時間周波数同期指示と、全配置搬送波であるか否か、多重搬送波セルに含まれた搬送波数と、搬送波マーク（ＳＣＩＤ）と、搬送波の周波数（ＳＣＦ）と、搬送波の帯域幅（ＳＣＢ）等のパラメータを含むが、これらに限定されない。
【００９２】
ステップ２：現在のサービング搬送波が端末に良好な無線条件を提供することができない場合、端末はサービング基地局にスキャン要請シグナリングを送信して隣り合う基地局の搬送波をスキャンするように一定の時間を割り当てることを要請する。具体的に、端末がサービング基地局に隣り合う基地局をスキャンするスキャン要請シグナリングを送信する場合、新たに追加されたＭＯＢ＿ＳＭＣ−ＲＥＱメッセージを介してスキャン要請を送信してスキャン区間、スキャン推定時間の割り当て、又は開始フレームの推薦を要請する。ＭＯＢ＿ＳＭＣ−ＲＥＱメッセージは新規のメッセージであり、表１２Ａ，１２Ｂに多重搬送波を支援するＭＯＢ＿ＳＭＣ−ＲＥＱメッセージのメッセージ形式を示す。表１２Ａ，１２Ｂに示すように、ＭＯＢ＿ＳＭＣ−ＲＥＱメッセージに、１、スキャン持続時間（Ｓｃａｎ  Ｄｕｒａｔｉｏｎ）、２、交替区間（Ｉｎｔｅｒｌｅａｖｉｎｇ  ｉｎｔｅｒｖａｌ）、３、スキャン回数（Ｓｃａｎ  Ｉｔｅｒａｔｉｏｎ）、４、推薦された隣り合う基地局の搬送波数インデックス（Ｎ＿Ｒｅｃｏｍｍｅｎｄｅｄ＿ＳＭＣ＿Ｉｎｄｅｘ）、その中、Ｎ＿Ｒｅｃｏｍｍｅｎｄｅｄ＿ＳＭＣ＿Ｉｎｄｅｘの値が０ｘＦＦであると、隣り合う基地局の搬送波のビットマップ・インデックス（ＳＭＣ＿Ｂｉｔｍａｐ＿Ｉｎｄｅｘ）を用いてＭＯＢ＿ＮＢＲ−ＡＤＶメッセージにおける隣り合う基地局の搬送波インデックスを識別する必要があることを表し、Ｎ＿Ｒｅｃｏｍｍｅｎｄｅｄ＿ＳＭＣ＿Ｉｎｄｅｘの値が０ｘＦＦでないと、ＭＯＢ＿ＮＢＲ−ＡＤＶメッセージに推薦された搬送波数を推薦することを表し、５、隣り合う基地局の全配置搬送波ビットマップ・インデックスのサイズを表す隣り合う基地局の搬送波ビットマップサイズ（ＳＭＣ＿Ｂｉｔｍａｐ＿Ｓｉｚｅ）、６、隣り合う基地局の全配置搬送波ビットマップ・インデックスを表す隣り合う基地局の搬送波のビットマップ・インデックス（ＳＭＣ＿Ｂｉｔｍａｐ＿Ｉｎｄｅｘ）、７、ＭＯＢ＿ＮＢＲ−ＡＤＶメッセージにおける隣り合う基地局の搬送波の位置インデックスを表す隣り合う基地局の搬送波のインデックス（ＳＭＣ＿ＢＳ＿Ｉｎｄｅｘ）等のパラメータをさらに含むことができる。
【００９３】
【表１２Ａ】
0005511846.tif 000033
【００９４】
【表１２Ｂ】
0005511846.tif 000034
【００９５】
ステップ３：現在のサービング基地局が端末からのスキャン要請シグナリングが含まれたＭＯＢ＿ＳＭＣ−ＲＥＱメッセージを受信した後、サービング基地局は端末が実行中であるサービス及び／又は基地局内部のスケジューリングアルゴリズム等に基づいて端末により基地局搬送波のスキャンを開始してもよいかを確定する。具体的に、サービング基地局が端末に要請された時間と同等の長さのスキャン区間（即ち、スキャン持続時間）を付与したのであれば、端末は隣り合う基地局の搬送波をスキャンし始め、一方、サービング基地局が端末に付与したスキャン持続時間が０であると、基地局が端末の隣り合う基地局搬送波スキャン要請を拒否したことを表す。
【００９６】
ステップ４：サービング基地局が端末により隣り合う基地局の搬送波のスキャンを開始できると確定した場合、端末にスキャン応答メッセージを送信する。具体的に、サービング基地局が端末に送信する多重搬送波スキャン要請応答を新規のメッセージであるＭＯＢ＿ＳＭＣ−ＲＳＰに含ませることができる。当該メッセージはＢＡＳＩＣ  ＣＩＤを介して送信される。表１３Ａ〜１３Ｃに多重搬送波を支援するＭＯＢ＿ＳＭＣ−ＲＳＰメッセージのメッセージ形式を示す。表１３Ａ〜１３Ｃに示すように、当該メッセージに、１、スキャン持続時間（Ｓｃａｎ  Ｄｕｒａｔｉｏｎ）、２、レポートモード（Ｒｅｐｏｒｔ  Ｍｏｄｅ）、３、レポート周期（ＲＥＰｏｒt  ｐｅｒｉｏｄ）、４、レポートメトリック（Ｒｅｐｏｒｔ  ｍｅｔｒｉｃ）、５、スキャンタイプ（Ｓｃａｎｎｉｎｇ＿ｔｙｐｅ）、６、ＭＯＢ＿ＮＢＲ−ＡＤＶメッセージにおいて搬送波インデックスのビットマップが利用されたか否か（Ｕｓｅ_ＳＭＣ＿Ｂｉｔｍａｐ＿Ｉｎｄｅｘ）、７、ＭＯＢ＿ＳＭＣ−ＲＥＱメッセージにおいて搬送波インデックスのビットマップが利用されたか否か（Ｕｓｅ＿ＲｅｑＳＭＣ＿Ｂｉｔｍａｐ＿Ｉｎｄｅｘ）、８、ＭＯＢ＿ＮＢＲ−ＡＤＶメッセージに配置された変数（Ｃｏｎｆｉｇｕｒａｔｉｏｎ  Ｃｈａｎｇｅ  Ｃｏｕｎｔ  Ｆｏｒ  ＭＯＢ＿ＳＭＣ−ＡＤＶ）、９、ＭＯＢ＿ＮＢＲ−ＡＤＶメッセージにおけるビットマップ・インデックスサイズ（ＳＭＣ＿Ｂｉｔｍａｐ＿Ｓｉｚｅ）、１０、対応する搬送波が推薦されたか（ＳＭＣ＿Ｂｉｔｍａｐ＿Ｉｎｄｅｘ）、１１、推薦された搬送波数（Ｎ＿Ｒｅｃｏｍｍｅｎｄｅｄ＿ＳＭＣ＿Ｉｎｄｅｘ）、１２、ＭＯＢ＿ＮＢＲ−ＡＤＶメッセージにおける搬送波インデックス（ＳＭＣ＿Ｉｎｄｅｘ）、１３、４８ビットのマーク（ＩＤ）を利用した推薦されたサービング搬送波数（Ｎ＿Ｒｅｃｏｍｍｅｎｄｅｄ＿ＳＭＣ＿Ｆｕｌｌ）、１４、推薦された搬送波ＩＤ（Ｒｅｃｏｍｍｅｎｄｅｄ  ＳＭＣ  ＩＤ）等のパラメータをさらに追加することができる。
【００９７】
【表１３Ａ】
0005511846.tif 000035
【００９８】
【表１３Ｂ】
0005511846.tif 000036
【００９９】
【表１３Ｃ】
0005511846.tif 000037
【０１００】
ステップ５：端末がサービング基地局からのスキャン持続時間が０でないスキャン応答を受信した場合、隣り合う基地局の搬送波をスキャンし始める。また、スキャン応答におけるパラメータに基づいて多重搬送波のスキャンレポートを送信するか否か、及び上記スキャンレポートをどのように送信するかを確定する。具体的に、スキャン応答メッセージにおいて、Ｒｅｐｏｒｔ  Ｍｏｄｅ＝０ｂ００であると、端末によりスキャンレポートを送信する必要がないことを表し、Ｒｅｐｏｒｔ  Ｍｏｄｅ＝０ｂ０１であると、スキャンレポートを周期的に送信する必要があることを表し、Ｒｅｐｏｒｔ  Ｍｏｄｅ＝０ｂ１０であると、イベント開始レポート（開始条件を満たすのであれば）を送信する必要があることを表し、Ｒｅｐｏｒｔ  Ｍｏｄｅ＝０ｂ１１であると、スキャンレポートを一回のみ送信する必要があることを表す。
【０１０１】
一方、端末の隣り合う基地局の多重搬送波に対するスキャンレポートは新規のメッセージであるＭＯＢ＿ＳＭＣ−ＲＥＰメッセージに含まれることが可能であり、当該メッセージは主要管理ＣＩＤを介して送信される。表１４Ａ〜１４Ｄに多重搬送波を支援するＭＯＢ＿ＳＭＣ−ＲＥＰメッセージのメッセージ形式を示す。当該メッセージはＭＯＢ＿ＳＣＮ−ＲＥＱメッセージにて問い合わせたサービング基地局多重搬送波の全ての情報を含む。具体的には、当該メッセージに、１、隣り合う基地局搬送波の搬送波対ノイズ平均値（ＳＭＣ  ＣＩＮＲ  ｍｅａｎ）、２、隣り合う基地局の受信信号強度指示平均値（ＳＭＣ  ＲＳＳＩ  ｍｅａｎ）、３、相対的な遅延（Ｒｅｌａｔｉｖｅ  ｄｅｌａｙ）、４、端末と搬送波との間の復路遅延（ＳＭＣ  ＲＴＤ）をスキャン、５、隣り合う基地局に含まれた多重搬送波数（Ｎ＿ｃｕｒｒｅｎｔ＿ＳＭＣｓ）、６、ＭＯＢ＿ＮＢＲ−ＡＤＶメッセージにおいて搬送波インデックスのビットマップが利用されたか否か（Ｕｓｅ_ＳＭＣ＿Ｂｉｔｍａｐ＿Ｉｎｄｅｘ）、７、ＭＯＢ＿ＳＣＮ−ＲＳＰメッセージにおいて搬送波インデックスのビットマップが利用されたか否か（Ｕｓｅ＿ＲｓｐＳＭＣ＿Ｂｉｔｍａｐ＿Ｉｎｄｅｘ）、８、ＳＭＣ＿Ｂｉｔｍａｐ＿Ｉｎｄｅｘ、９、ＲｓｐＳＭＣ＿Ｂｉｔｍａｐ＿Ｉｎｄｅｘ、１０、ＲｓｐＳＭＣ＿Ｂｉｔｍａｐ＿Ｉｎｄｅｘのサイズ（ＲｓｐＳＭＣ＿Ｂｉｔｍａｐ＿Ｓｉｚｅ）、１１、隣り合う基地局の一時的な多重搬送波ＩＤ（Ｔｅｍｐ  ＳＭＣ  ＩＤ）、１２、ＭＯＢ＿ＮＢＲ−ＡＤＶメッセージに配置された変数（Ｃｏｎｆｉｇｕｒａｔｉｏｎ  Ｃｈａｎｇｅ  Ｃｏｕｎｔ  Ｆｏｒ  ＭＯＢ＿ＳＭＣ−ＡＤＶ）、１３、Ｕｓｅ_ＳＭＣ＿Ｂｉｔｍａｐ＿Ｉｎｄｅｘのサイズ（ＳＭＣ＿Ｂｉｔｍａｐ＿Ｓｉｚｅ）、１４、対応する搬送波が推薦されたか（ＳＭＣ＿Ｂｉｔｍａｐ＿Ｉｎｄｅｘ）、１５、搬送波数（Ｎ＿ＳＭＣ＿Ｉｎｄｅｘ）、１６、ＭＯＢ＿ＮＢＲ−ＡＤＶメッセージにおける搬送波インデックス（ＳＭＣ＿Ｉｎｄｅｘ）、１７、４８ビットＩＤを利用した推薦されたサービング搬送波（Ｎ＿ＳＭＣ＿Ｆｕｌｌ）、１８、推薦された搬送波ＩＤ（ＳＭＣ  ＩＤ）、１９、ＭＯＢ＿ＳＣＮ−ＲＳＰメッセージにおける搬送波インデックスビットマップ（ＲｓｐＳＭＣ＿Ｂｉｔｍａｐ＿Ｉｎｄｅｘ）等のパラメータをさらに設定することができる。
【０１０２】
【表１４Ａ】
0005511846.tif 000038
【０１０３】
【表１４Ｂ】
0005511846.tif 000039
【０１０４】
【表１４Ｃ】
0005511846.tif 000040
【０１０５】
【表１４Ｄ】
0005511846.tif 000041
上述の内容から、端末はＭＯＢ＿ＳＭＣ−ＲＥＰメッセージを介して基地局に隣り合う基地局の多重搬送波のスキャンレポートを送信できることが分かる。
【０１０６】
本発明の実施例によると、コンピュータが実行可能な命令が記憶されたコンピュータ読取可能な媒体を提供し、コンピュータ又はプロセッサに該命令を実行させると、コンピュータ又はプロセッサにより図１〜５に示す各ステップが実行されるが、上記の実施例における一つ又は複数を実行することが好ましい。
【０１０７】
装置実施例
本発明の実施例によると、端末を提供する。図６は、本発明の実施例に係わる端末のブロック図である。図６に示すように、取得ブロック６０と、スキャンブロック６２と、送信ブロック６４と、を含む。上記端末をさらに詳しく説明するため、まず、基地局側の関連動作を説明する。
【０１０８】
基地局側において、基地局は、まず、端末がスキャンすべき指示搬送波（推薦搬送波とも言われる）を確定するが、ここで、指示搬送波は該基地局内の搬送波であってもよく、隣り合う多重搬送波基地局内の搬送波であってもよい。指示搬送波を確定した後、基地局は指示搬送波の第１の配置パラメータを設定する。また、指示搬送波は全配置搬送波であることが好ましい。そして、基地局は端末がスキャンレポートを送信するに必要な第２の配置パラメータを設定する必要がある。上記第１の配置パラメータと、第２の配置パラメータを設定した後、基地局は第１の配置パラメータと第２の配置パラメータを端末の取得ブロック６０に送信する。
【０１０９】
ここで、上記第１の配置パラメータは指示搬送波のマークと、指示搬送波の周波数と、指示搬送波の帯域幅の中の少なくとも一つを含むことができる。上記第２の配置パラメータはスキャンレポートを送信するか否かのマークと、スキャンレポートの送信方式の中の少なくとも一つを含むことができる。実際の応用において、第１の配置パラメータと第２の配置パラメータに含まれる情報は上記内容に限定されない。
【０１１０】
以下、上記端末における各ブロックを詳しく説明する。
【０１１１】
具体的に、取得ブロック６０は基地局からの指示搬送波の第１の配置パラメータ及び送信ブロック６４によりスキャンレポートを送信するに必要な第２の配置パラメータを取得する。取得ブロック６０が上記パラメータを取得した後、取得ブロック６０に接続されたスキャンブロック６２は第１の配置パラメータに基づいて指示搬送波のスキャンを行い、スキャンレポートを作成する。スキャンレポートを作成した後、スキャンブロック６２と取得ブロック６０に接続された送信ブロック６４は第２の配置パラメータに基づいてスキャンレポートを基地局に送信する。ここで、スキャンレポートはスキャンブロック６２によりスキャンされた搬送波の情報を含み、スキャンされた搬送波の情報は、スキャンされた搬送波数、スキャンされた搬送波のマーク、スキャンされた搬送波の周波数、スキャンされた搬送波の帯域幅の中の少なくとも一つを含むことができる。
【０１１２】
特許請求の範囲に記載された精神及び範囲を逸脱しないことを前提に、上記各ブロックに各種の変形又は組み合わせを行うことができる。
【０１１３】
上述のように、本発明によると、端末によりスキャンされた後、基地局にスキャンレポートを送信することによって、多重搬送波システムにおいて、端末が基地局にスキャンレポートを送信する方案が開示されていない課題を解決し、端末がスキャンを完成した後スキャンレポートを適時に基地局に送信することができる。
【０１１４】
また、本発明はシステム構造及び既存のプロセスを変更させずに実現でき、簡単に普及することができ、産業化に適している。
【０１１５】
当業者にとって、上述の本発明の各ブロック又は各ステップはゼネラルコンピューター装置によって実現することができ、単独の計算装置に集中させることができれば、複数の計算装置から構成されるネットワークに分布させることもできる。さらに計算装置が実行可能なプログラム・コードによって実現することもできるので、それらを記憶装置に記憶させ計算装置によって実行でき、又は夫々集積回路ブロックに製作し、又はそれらにおける複数のブロック又はステップを単独の集積回路ブロックに製作して実現できる。このように、本発明は如何なる特定のハードウェアとソフトウェアの結合にも限定されない。
【０１１６】
以上は、本発明の好適な実施例に過ぎず、本発明を限定するものではない。当業者であれば本発明に様々な変更や変形を与えることが可能である。本発明の精神や原則内で行う如何なる修正、同等置換、改良などは本発明の保護範囲内に含まれる。
【図１】
0005511846.tif 000042
【図２】
0005511846.tif 000043
【図３】
0005511846.tif 000044
【図４】
0005511846.tif 000045
【図５】
0005511846.tif 000046
【図６】
0005511846.tif 000047